(57)【要約】      （修正有）【課題】盲人が一人で安全に歩けるようにする為の装置を提供する。【解決手段】盲人用の歩行を補助して案内をする為の装置あり、白杖に取り付けたＬＥＤや信号音を発する装置２を組み合わせる。本人が歩く為に足元を照らすのではなく、向かってくる人や自転車に対して、そこに歩いて来る人がいることを知らしめるのが目的で、白杖にＬＥＤを取り付ける。付ける位置は地面に接する先端から、及び手で持つ握り手の端からどちらも１２センチ離れた所で、それぞれに豆球６個ずつをどちらも１０センチの長さで光らせる。【選択図】図１
2014000368.tif 000002
【特許請求の範囲】
【請求項１】
ＬＥＤ及び信号音を発する器具を内蔵した白杖。
【請求項２】
道路上に埋め込んだ方向指示板。
【請求項３】
道路上にある盲人用の歩行を案内する装置。
【請求項４】
多機能携帯の音声応答を利用した盲人用の歩行案内。
【請求項５】
盲人用の歩行を案内する点字器具。
【発明の詳細な説明】
【技術分野】
【０００１】  本発明は、多機能携帯や「リモコン」及び「指示板」を利用して、現在地及び目的地の確認をする為の装置。【０００２】  一人で、より安全に歩く為にＬＥＤや信号音を活用した白杖。
【背景技術】
【０００３】  多機能携帯や携帯ナビの音声応答を利用して、現在地及び目的地を確認し、更に地理的、時間的に直近の詳しい情報を「リモコン」操作で要所要所にある案内装置から、より良く対応する為の指示を得る。
【発明の開示】
【発明が解決しようとする課題】
【０００４】  最近では多機能携帯で目的の位置を探しだすことは、ごく普通に行われている。しかもそこに示された位置はかなりの精度になっている。また、一部の機種では音声による応答も出来るものもある。音声により質問すると、その返答も音声で返って来るので、車の運転中は重宝するだろう。しかしこのシステムにはもっと恩恵を被る人がいる。それを必要としている人が利用出来れば、その人達は多いに助かるだろう。【０００５】
【課題を解決するための手段】
【０００６】  現在、多くの人が持っている「携帯ナビ」を利用すれば、ＧＰＳ機能で今何処にいるかは瞬時に分かるし、目的地にもほとんど間違いなく行ける。とは言え、後一歩踏み出すか先に段差があるかなどといった、より詳しい情報は残念ながら分からない、またその案内も無い。回りを見渡して一瞬にして分かる人だと良いが、そうでない人にとっては不安であり、不満である。【０００７】  「ここは注意」程度の案内では、一体何に対して注意しなければならないのか分からない。回りにいる人の助け無しでは対処のしようがない。これでは一人歩きもままならない。【０００８】  地理的にごく近辺の、時間的にも今日、明日と言った直近の詳しい情報が必要であろう場所に音声案内装置を設置する。その情報を求める人は「リモコン」のスイッチを押すと、それに応じて装置から音声が流れる。それとは別におおよその情報を掻い摘んで点字でも読めるようにする。勿論その情報は日々更新される。その上で、例えば方向、場所を知らせる時は「現在地から南西に１０メートル」などと正確な指示だけでなく、「ここから左に２０歩程度」などと分かり易い補足をする。段差などに対しても同様に必ず具体的な指標を添える。【０００９】  音声案内が置いてある近くの道路上に方向指示板を置く。「リモコン」操作で装置のスイッチが入るので、希望者はその場でその装置を作動させる。音声案内の装置がおおよその位置を確認する為に、多機能携帯を利用する。そして、道路上に敷いてある方向指示板を見つけ、そこでその指示している方向に向け「リモコン」のスイッチを押す。【００１０】  装置の向きに電波を発射出来るように、道路上に装置の向きを指示した指示板を埋め込む。何故なら、その電波は微弱で指向性があり、現在の技術では決まった角度の範囲でしか上手く電波を送受信することが出来ない。その装置が３６０度のどの向きにあるか分からないのでは、電波を飛ばす方向が決まらず、あてずっぽうに電波を飛ばしても文字通り的外れになりかねない。【００１１】  この指示板はタイル又は硬質プラスチック製とする。下地は正方形の中に円を描いた図形のみ。その上に重ねて張り付ける板は下地の円の中にきっちり入る円板で、その円の中心から丁度時計の長針のように円周上の任意の一点に矢印を向ける。このように円板自身を回すことで３６０度のどの位置にも向けられるので、設置場所を選ばすに対応出来る。【００１２】  外枠を正方形とし内側を円とすることで、内側の円板を回し時計の長針のような矢印を何れの方向にも向けられるので、単一の形態でどの設置場所にも対応出来、それぞれの場所で矢印の方向を決め固定する。【００１３】  この指示板の外枠を正方形とするのは道路上にはめ込んである他のものに形、大きさを合わせる為であり、内側を円としその上に貼り合わせるのは、一つの形を作るだけで何れの場所にも対応可能となるからである。【００１４】  案内装置は雨風に耐え、犬や烏などのいたずらからも逃れるようにし、また、利用者の耳に届き易いように地上１３０センチくらいの高さに設置する。【００１５】  後ろを向いている人、買い物に夢中になっていてすぐ近くに人が来ていることに気が付かない人、話に花が咲き他人の動向まで気が回ら���い人に、今ここまで歩いて来たのでぶつからないように配慮願うという意味で信号音を出す。【００１６】  本人が歩く為に足元を照らすのではなく、向かってくる人や自転車に対して、そこに歩いて来る人がいることを知らしめるのが目的で、白杖にＬＥＤを取り付ける。付ける位置は地面に接する先端から、及び手で持つ握り手の端からどちらも１２センチ離れた所で、それぞれに豆球６個ずつをどちらも１０センチの長さで光らせる。電源は乾電池の３ボルト或いは携帯用のＵＳＢの５ボルトを使う。それを白杖の内部に取り付ける。或いは、白杖のバランスが崩れたり重くなったりするのが嫌う人には腰のあたりに装着することも考えられる。当然、充電して使用することも可能である。【００１７】  低音域の音だと力強くはあっても重く暗い。それより音が高くなるにつれて軽く明るくなり、１０００ヘルツ辺りの音だと耳も鋭敏になる。しかし、それより２、３オクターブ上になると刺激が強すぎ、むしろ聞くことに疲れが出る。そこで時報にも利用されている８８０ヘルツのＡの信号などは有力な候補となる。この信号音のように音楽や言葉ではなく、意味の無い機械的な音でしかも断続的の音であれば尚良い。この音は近くにいるであろう人を対象としているので音圧は控え目の６０デシベルとし、思わぬトラブルは避ける。
【発明の効果】
【００１８】  現在では限られた国を除き、大都会の街角には一人で歩けるよう安全の為の施設が出来つつあるが、この装置を利用することで一人で安全に歩ける範囲が広がる。
【発明を実施するための最良の形態】
【００１９】  多機能携帯の音声応答を利用して、現在地や目的地の確認をする。更に地理的にも時間的にも直近の詳しい情報は要所要所に備え付けてある案内装置で直接取得する。【００２０】  歩くときは他人との不要な接触を避ける為、白杖にＬＥＤ及び信号音を発する装置を内部に取り付ける。
【図面の簡単な説明】
【００２１】
【図１】  ＬＥＤ及び信号音発生器を取り付けた白杖
【図２】  道路上に敷く指示板
【図３】  音声案内装置
【符号の説明】
【００２２】  １  白杖のハンドル
２  信号音を発する装置
３  ＬＥＤの豆球
４  ＬＥＤの豆球
５  方向指示板の下地
６  方向指示板の円
７  方向指示板の矢印
８  歩行を案内する装置
９  「リモコン」用受信スイッチ
１０  手動電源スイッチ
【図１】
2014000368.tif 000003
【図２】
2014000368.tif 000004
【図３】
2014000368.tif 000005